(57)【要約】データ送信装置（１）から送信された複数装置間で共有する共有データを記憶する共有データ記憶部（４０）と、上記共有データと共有装置情報とを対応付けて管理する管理テーブル管理部（４５）と、共有データを受信すると上記共有装置情報に基づいて、共有データを共有すべきデータ受信装置（３）に対して、上記共有データ識別情報と認証情報とを、電話回線（４）を用いて送信するサーバ側送信情報作成部（２５）と、上記電話回線（４）よりも通信速度が速い無線ＬＡＮ回線を介して、データ受信装置（３）から受信した認証情報が、自装置から送信した認証情報と一致するかを判断するパスワード判定部（４３）と、上記パスワード判定部（４３）が一致する場合に、上記無線ＬＡＮ回線を用いて共有データをデータ受信装置（３）に対して送信する受信側管理部（４７）とを備えることにより、特定のユーザ間でのみ確実に情報を共有するデータ共有システムを実現できる。【特許請求の範囲】
【請求項１】
データ送信装置から複数の装置間で共有する共有データを受信する共有データ取得手段と、
上記共有データを記憶する記憶手段と、
上記受信した共有データと、当該共有データを共有する装置に関する共有装置情報とを対応付けて管理する管理手段と、
共有データを受信すると、上記共有装置情報に基づいて、当該共有データを共有すべきデータ受信装置に対して、上記共有データを特定するための共有データ識別情報と上記記憶手段から上記共有データをダウンロードするための認証情報とを、電話回線を用いて送信する識別情報送信手段と、
上記電話回線よりも通信速度が速い通信回線（Ａ）を介して、データ受信装置から受信した、共有データをダウンロードするためのダウンロード要求に付加されている認証情報が、自装置から送信した認証情報と一致するか否かを判断する判断手段と、
上記判断手段が一致すると判断した場合に、上記通信回線（Ａ）を用いて、上記ダウンロード要求に基づく共有データをデータ受信装置に対して送信する共有データ送信手段とを備えることを特徴とするサーバ。
【請求項２】
上記識別情報送信手段は、上記認証情報を、共有データを共有すべきデータ受信装置毎に異ならせて送信するものであることを特徴とする請求項１記載のサーバ。
【請求項３】
上記管理手段は、データ送信装置から受信した共有装置情報と共有データとを対応付けて管理するものであることを特徴とする請求項１記載のサーバ。
【請求項４】
上記通信回線（Ａ）は、無線ＬＡＮ回線であることを特徴とする請求項１記載のサーバ。
【請求項５】
複数の装置間で共有すべき情報である共有データを記憶しているサーバからデータを受信するデータ受信装置であって、
上記共有データを特定するための共有データ識別情報と上記サーバから共有データをダウンロードするための認証情報とを電話回線を介してサーバから受信する識別情報受信手段と、
上記共有データをダウンロードするためのダウンロード要求と上記認証情報とを、上記電話回線よりも通信速度が速い通信回線（Ａ）を用いて、上記サーバに対して送信する要求情報送信手段と、
上記共有データ識別情報によって特定された共有データを、サーバから上記通信回線（Ａ）を介して受信する共有データ受信手段とを備えることを特徴とするデータ受信装置。
【請求項６】
上記共有データ受信手段は、上記共有データを暗号化した状態で受信することを特徴とする請求項５記載のデータ受信装置。
【請求項７】
複数の装置間で共有する共有データをサーバに対して送信するデータ送信装置であって、
上記サーバにアクセスするための認証情報を、電話回線を介して上記サーバから受信する認証情報受信手段と、
上記サーバに対して、上記認証情報を付した共有データを上記電話回線よりも通信速度が速い通信回線（Ｂ）を用いて送信する装置側共有データ送信手段とを備えることを特徴とするデータ送信装置。
【請求項８】
上記装置側共有データ送信手段は、上記共有データを暗号化した状態で送信することを特徴とする請求項７記載のデータ送信装置。
【請求項９】
上記共有データを共有する装置に関する共有装置情報を、電話回線または通信回線（Ｂ）を用いてサーバに送信する共有装置情報送信手段を備えることを特徴とする請求項７または８記載のデータ送信装置。
【請求項１０】
上記共有装置情報送信手段は、上記共有データの識別子と上記共有装置情報とをサーバに対して送信することを特徴とする請求項９記載のデータ送信装置。
【請求項１１】
上記装置側共有データ送信手段は、上記認証情報を付した共有データを送信する際に、当該共有データを共有すべき装置に関する共有装置情報を送信するものであることを特徴とする請求項７または８記載のデータ送信装置。
【請求項１２】
請求項１〜４のいずれか１項に記載のサーバと、請求項５〜６のいずれか１項に記載のデータ受信装置と、請求項７〜１１のいずれか１項に記載のデータ送信装置とを備えたことを特徴とするデータ共有システム。
【請求項１３】
請求項１〜４のいずれか１項に記載のサーバが備える各手段をコンピュータに実行させるデータ共有プログラム。
【請求項１４】
請求項１３に記載のデータ共有プログラムを記録したコンピュータ読取可能な記録媒体。
【請求項１５】
請求項５または６に記載のデータ受信装置が備える各手段をコンピュータに実行させるデータ受信プログラム。
【請求項１６】
請求項１５に記載のデータ受信プログラムを記録したコンピュータ読取可能な記録媒体。
【請求項１７】
請求項７〜１１のいずれか１項に記載のデータ送信装置が備える各手段をコンピュータに実行させるデータ送信プログラム。
【請求項１８】
請求項１７に記載のデータ送信プログラムを記録したコンピュータ読取可能な記録媒体。
【発明の詳細な説明】
【技術分野】
【０００１】  本発明は、複数の装置間で情報を共有するデータ送信装置、データ受信装置およびサーバに関するものである。
【背景技術】
【０００２】  近年、携帯電話等の携帯端末装置に高画素数のデジタルカメラ機能や、動画撮影機能が付属されるようになってきている。そして、上記デジタルカメラ機能で撮影した画像や、動画撮影機能によって撮影された動画を、複数の人で共有するための方法が提案されている。【０００３】  具体的には、例えば、公知文献１（日本国公開特許公報：特開２００４−０７０６１４号公報（２００４年３月４日公開））に開示の方法では、共有するための情報をサーバに送信し、あらかじめ登録された機器に対して、上記情報を参照するための参照情報（ＵＲＬ）を送信して、他の人から参照できるようにしている。【０００４】  しかしながら、上記従来の構成では、参照情報が他人に漏れた場合には、所望のユーザのみならず、不特定多数のユーザが閲覧可能になるという問題を生じる。【０００５】  具体的には、上記公知文献１に開示の構成では、ユーザがサーバに対して情報を登録する際には認証を行っている。しかし、共有するための情報を受信したサーバは、予め登録されている機器に対して、上記情報を参照するための参照情報を送信するのみである。さらに、参照情報を受信した機器は、上記参照情報に基づいてサーバにアクセスするのみで共有するべき情報を閲覧することができる。【０００６】  従って、例えば、予め登録されている機器以外の機器の操作者が、上記参照情報を知った場合、簡単に上記共有データ識別情報を閲覧することができるという問題が生じる。
【発明の開示】
【０００７】  本発明は、上記の問題点に鑑みてなされたものであり、その目的は、特定のユーザ間でのみ確実に情報を共有するためのデータ送信装置、データ受信装置およびサーバを提供することにある。
【０００８】  本発明に係るサーバは、上記課題を解決するために、データ送信装置から複数装置間で共有する共有データを受信する共有データ取得手段と、上記受信した共有データと、当該共有データを共有する装置に関する共有装置情報とを対応付けて管理する管理手段と、共有データを受信すると、上記共有装置情報に基づいて、当該共有データを共有すべきデータ受信装置に対して、上記共有データを特定するための共有データ識別情報と自装置から上記共有データをダウンロードするための認証情報（パスワード）とを、電話回線を用いて送信する識別情報送信手段と、上記電話回線よりも通信速度が速い通信回線（Ａ）を介して、データ受信装置から受信した、共有データをダウンロードするためのダウンロード要求に付加されている認証情報が、自装置から送信した認証情報と一致するか否かを判断する判断手段と、上記判断手段が一致すると判断した場合に、上記電話回線よりも通信速度が速い通信回線（Ａ）を用いて、上記ダウンロード要求に基づく共有データをデータ受信装置に対して送信する共有データ送信手段とを備えることを特徴としている。
【０００９】  本発明において、「共有する」とは、データ送信装置から送信された共有データと同じものを複数の装置が有することを示す。
【００１０】  上記共有データ識別情報とは共有データを特定するための情報であり、具体的には、共有データの識別子（名前）または共有データが格納されている位置を示す情報が共有データ識別情報に該当する。そして、共有データ識別情報は、共有データよりも情報量が小さい。
【００１１】  上記の構成によれば、データ受信装置が送信した認証情報が、サーバ自身が送信した認証情報であるか否かを判断し、その判断結果に基づいて、当該データ受信装置からダウンロード要求のあった共有データの送信を行っている。具体的には、上記認証情報が、一致した場合に、上記ダウンロード要求のあった共有データをデータ受信装置に送信している。
【００１２】  また、認証情報をデータ受信装置に対して電話回線を用いて送信している。電話回線は、情報を送受信する際に、伝送路上での情報の漏洩の心配が少ない安全な回線である。従って、電話回線を用いて認証情報を送信することで、当該認証情報がデータ受信装置以外の他に漏れることを防止することができる。
【００１３】  そして、上記の構成によれば、データ受信装置に対して共有データを送信する際、換言すると、データ受信装置が共有データをダウンロードする際、データ受信装置から送信されてくる認証情報を確認した後で、上記共有データのダウンロードを行っている。従って、認証情報を送信してきたデータ受信装置のみに対して上記共有データのダウンロードを許可することができる。これにより、特定のユーザ間でのみ確実に情報を共有することができる。
【００１４】  また、データ受信装置から受信した認証情報を含むダウンロード要求およびデータ受信装置に対して送信する共有データについては、伝送路上を暗号化した状態で送受信することが好ましい。これにより、サーバからデータ受信装置までの伝送路情報の間で、上記認証情報および共有データが漏洩することを防止することができる。従って、上記の構成とすることにより、特定のユーザ間（特定のデータ送信装置と特定データ受信装置の間）でのみ確実に共有データを共有することができる。
【００１５】  本発明に係るデータ受信装置は、上記課題を解決するために、複数の装置間で共有すべき情報である共有データを記憶しているサーバからデータを受信するデータ受信装置であって、上記共有データを特定するための共有データ識別情報と上記サーバから共有データをダウンロードするための認証情報とを電話回線を介してサーバから受信する識別情報受信手段と、上記共有データをダウンロードするためのダウンロード要求と上記認証情報とを、上記電話回線よりも通信速度が速い通信回線（Ａ）を用いて、上記サーバに対して送信する要求情報送信手段と、上記共有データ識別情報によって特定された共有データを、サーバから上記通信回線（Ａ）を介して受信する共有データ受信手段とを備えることを特徴としている。
【００１６】  上記共有データ識別情報とは共有データを特定するための情報であり、具体的には、共有データの識別子（名前）または共有データが格納されている位置を示す情報が共有データ識別情報に該当する。そして、共有データ識別情報は、共有データよりも情報量が小さい。上記の構成によれば、サーバから共有データ識別情報を、電話回線を用いて受信している。従って、一般に通信速度が遅い電話回線であっても受信することができる。
【００１７】  上記の構成によれば、共有データを取得するための認証情報をサーバから受信し、共有データを取得する場合には、上記認証情報をサーバに送信している。これにより、例えば、認証情報を知らない第三者が上記共有データを取得することを防止することができる。
【００１８】  また、上記の構成によれば、データ受信装置は、サーバから共有データ識別情報を受信している。これにより、共有データの存在を知ることができる。つまり、データ受信装置は、サーバに共有データが存在する状態になった場合に、共有データ識別情報を受信するので、データ受信装置がサーバに対して共有データがあるか否かを問い合わせる必要がない。
【００１９】  また、共有データは、電話回線よりも通信速度が速い通信回線（Ａ）を用いて受信している。通信回線（Ａ）は、電話回線よりも通信速度が速いので、例えば、情報量が大きい共有データであっても良好に受信することができる。
【００２０】  つまり、上記の構成によれば、サーバから送信されてきた認証情報を用いて共有データを取得（受信）しているので、上記認証情報を持たない他の機器は、上記共有データを取得することができない。
【００２１】  本発明に係るデータ送信装置は、上記の課題を解決するために、複数の装置間で共有する共有データをサーバに対して送信するデータ送信装置であって、上記サーバにアクセスするための認証情報を、電話回線を介して上記サーバから受信する認証情報受信手段と、上記サーバに対して、上記認証情報を付した共有データを上記電話回線よりも通信速度が速い通信回線（Ｂ）を用いて送信する装置側共有データ送信手段とを備えることを特徴としている。
【００２２】  上記の構成によれば、電話回線を用いて認証情報を受信しているので、データ送信装置は、当該認証情報を安全かつ確実に受信することができる。また、上記の構成によれば、上記共有データを、電話回線よりも通信速度が速い通信回線（Ｂ）を用いて送信するので、例えば、大容量のデータであっても、高速に送信することができる。
【００２３】  なお、上記通信回線（Ｂ）は、サーバからデータ受信装置に対して共有データの送信を行う通信回線（Ａ）と同じものであっても異なっていてもよい。
【００２４】  本発明にかかるデータ共有システムは、上記の課題を解決するために、上記データ送信装置と、上記サーバと、上記データ受信装置とを備えたことを特徴としている。
【００２５】  上記の構成とすることにより、特定のユーザ間でのみ確実に情報を共有するためのデータ共有システムを提供することができる。
【００２６】  なお、上記データ送信装置、データ受信装置およびサーバは、コンピュータによって実現してもよく、この場合には、コンピュータを上記各手段として動作させることにより上記画像形成制御システムをコンピュータにて実現させるデータ送信装置、データ受信装置およびサーバのデータ送信プログラム、データ受信プログラム、データ共有プログラムおよびそれを記録したコンピュータ読み取り可能な記録媒体も、本発明の範疇に入る。
【００２７】  本発明のさらに他の目的、特徴、および優れた点は、以下に示す記載によって十分わかるであろう。また、本発明の利益は、添付図面を参照した次の説明で明白になるであろう。
【図面の簡単な説明】
【００２８】
【図１】本発明の実施形態を示すものであり、データ送信装置とサーバとデータ受信装置との間でやり取りされる各種の情報の流れを説明する図である。
【図２】本実施の形態にかかるデータ送信装置の概略構成を示すブロック図である。
【図３】本実施の形態にかかるデータ受信装置の概略構成を示すブロック図である。
【図４】本実施の形態にかかるサーバの概略構成を示すブロック図である。
【図５】管理テーブルの一例を示す図である。
【図６】サーバとデータ送信装置との間での情報のやり取りを示す状態遷移図である。
【図７】サーバとデータ受信装置との間での情報のやり取りを示す状態遷移図である。
【図８】データ受信装置の他の構成を示す図である。
【図９】サーバとデータ送信装置およびデータ受信装置との間でやり取りされる情報の内容を示す図である。
【発明を実施するための最良の形態】
【００２９】  本発明の一実施形態について説明すると以下の通りである。すなわち、本実施の形態にかかるデータ送信装置は、サーバから電話回線を介して認証情報を取得し、上記認証情報と複数の装置間で共有すべき共有データとを、高速通信回線を用いて送信する構成である。また、本実施の形態にかかるデータ受信装置は、サーバから共有データに関する共有データ識別情報および認証情報を、電話回線を介して受信し、この共有データ識別情報および認証情報に基づいてサーバから共有データを、高速通信回線を用いて暗号化した状態で受信する構成である。なお、以下の説明では、サーバからデータ送信装置（送信側端末）に対して送信する認証情報を認証情報、サーバからデータ受信装置（受信側端末）に対して送信する認証情報をパスワードとして説明する。【００３０】  そして、本実施の形態にかかるサーバは、データ送信装置から複数の装置で共有すべき共有データを暗号化された状態で受信し、この共有データとこの共有データを共有する機器とを対応付け、共有すべき機器であるデータ受信装置に対して、上記共有データに関する共有データ識別情報および共有データを取得するためのパスワードを送信するとともに、データ受信装置から送信されてきたパスワードと共有データの受信要求とを受けると、受信したパスワードと自身が送信したパスワードとが同じであるか否かを判断し、同じである場合には当該データ受信装置に対して上記共有データを送信する構成である。これについて以下、詳細に説明する。【００３１】  図２は、本実施の形態にかかるデータ送信装置１の概略構成を示すブロック図である。上記データ送信装置１は、送信側通信部１１、送信側情報送信部１０、送信側情報受信部１２、画像データ保存部１５、カメラ部１６、送信データ作成部１４および送信側無線ＬＡＮ通信部１３を備えている。【００３２】  上記送信側通信部１１は、電話回線４を介して例えばサーバ２等の外部に対して情報の送受信を行うものである。具体的には、送信側通信部１１は、電話回線４で送信されてきた通信データを区切って、ＬＡＮ環境へのパケットデータに変換したり、パケットデータを電話回線４で通信するためのデータに変換したりする。【００３３】  上記送信側情報送信部１０は、電話回線４を介して、サーバ２に対して種々の情報を送信するものである。上記送信側情報送信部１０は、共有先設定部１７を備えている。この共有先設定部１７は、上記データ送信装置１からサーバ２に対して送信する、複数の装置間で共有する共有データを共有する共有先に関する情報（共有装置情報）を作成するものである。つまり、上記共有先設定部１７は、共有データを共有する共有先を決定するものである。【００３４】  上記送信側情報受信部１２は、電話回線４を介して外部から情報を受信して取得するものである。上記送信側情報受信部１２は、認証情報取得部１８を備えている。この認証情報取得部１８は、電話回線４を介してサーバ２から受信した認証情報を取得するものである。【００３５】  上記カメラ部１６は、撮像素子である。そして、画像データ保存部１５は、上記カメラ部１６にて撮影された画像データを保存するものである。なお、上記画像データ保存部１５に���、カメラ部１６にて撮影された画像データのみでなく、他の装置から送信されてきたデータ等も格納することができる。【００３６】  送信データ作成部１４は、サーバ２に対して送信する情報を作成するものである。具体的には、上記送信データ作成部１４は、画像データに保存されているデータのうち、他の装置と共有する共有データに認証データを付すことにより、サーバ２に送信するための送信データを作成する。【００３７】  上記送信側無線ＬＡＮ通信部１３は、無線ＬＡＮ回線５を介して外部の装置と情報の送受信を行うものである。また、送信側無線ＬＡＮ通信部１３は、送信データ作成部１４によって作成された送信データをサーバ２に対して送信するものである。【００３８】  上記送信側無線ＬＡＮ通信部１３は、送信側圏内判定部１９を備えている。上記送信側圏内判定部１９は、上記無線ＬＡＮ回線５を用いて外部と情報の送受信することができる範囲内に当該データ送信装置１がいるか否かを判定する。すなわち、上記送信側圏内判定部１９は、データ送信装置１が、無線ＬＡＮ回線５を使用してデータの送受信を行うことができるか否かを判断する。【００３９】  図３は、本実施の形態にかかるデータ受信装置３の概略構成を示すブロック図である。上記データ受信装置３は、受信側通信部３１、受信側情報取得部３２、受信側情報作成部３３、受信側無線ＬＡＮ通信部３４および共有データ保存部３５を備えている。【００４０】  上記受信側通信部３１は、電話回線４を介して外部と種々の情報の送受信を行うものである。【００４１】  上記受信側情報取得部３２は、受信側通信部３１を介して受信した種々の情報から共有データを取得するために必要な各種の情報を取得して保持するものである。より具体的には、上記受信側情報取得部３２は、サーバ２から共有データを特定するための共有データ識別情報（以下、識別情報と称する）とサーバ２から上記共有データを取得するために必要なパスワード（認証情報）とを取得して保持する。【００４２】  上記受信側情報作成部３３は、受信側情報取得部３２によって取得された識別情報とパスワードと、および、共有データ保存部３５に保存されている共有データに基づいて、サーバ２に対してダウンロード要求を作成する。具体的には、上記受信側情報作成部３３は、受信側情報取得部３２によって取得された識別情報と共有データ保存部３５に記憶されている共有データとを、当該受信側情報作成部３３が備える比較部３８によって比較し、識別情報に該当する共有データが共有データ保存部３５に記憶されていない場合に、サーバ２から共有データをダウンロードするためのダウンロード要求を作成する。そして、上記受信側情報作成部３３は、作成したダウンロード要求とパスワードとを、無線ＬＡＮ回線５を介してサーバ２に送信する。【００４３】  また、上記比較部３８は、上記識別情報に含まれている共有データに関する内容と、共有データ保存部３５に記憶されている情報とを比較して、上記識別情報に該当する共有データが既にデータ受信装置３が保有しているか否かを判断する。【００４４】  上記受信側無線ＬＡＮ通信部３４は、無線ＬＡＮ回線５を介して外部の装置と情報の送受信を行うものである。具体的には���受信側無線ＬＡＮ通信部３４は、受信側情報作成部３３によって作成されたダウンロード要求とパスワードとをサーバ２に対して送信するものである。【００４５】  上記受信側無線ＬＡＮ通信部３４は、受信側圏内判定部３７を備えている。上記受信側圏内判定部３７は、上記無線ＬＡＮ回線５を用いて外部と情報の送受信することができる範囲内に当該データ送信装置１がいるか否かを判定する。すなわち、上記受信側圏内判定部３７は、データ送信装置１が、無線ＬＡＮ回線５を使用してデータの送受信を行うことができるか否かを判断する。【００４６】  上記共有データ保存部３５は、サーバ２から送信されてきた共有データを保存（記憶）するものである。また、上記共有データ保存部３５は、上記共有データ以外の他のデータを記憶してもよい。【００４７】  図４は、本実施の形態にかかるサーバ２の概略構成を示すブロック図である。なお、以下の説明では、説明の便宜上、データ送信装置１と情報の送受信を行う構成およびデータ受信装置３と情報の送受信を行う構成、すなわち、サーバ側通信部２１とサーバ側無線ＬＡＮ通信部２２とをデータ送信装置１用とデータ受信装置３用とで分けて説明しているが、これらは同じものであっても異なっていてもよい。【００４８】  本実施の形態にかかるサーバ２は、サーバ側通信部２１、サーバ側無線ＬＡＮ通信部２２、管理部２４、情報記憶部２３およびサーバ側送信情報作成部２５を備えている。【００４９】  上記サーバ側通信部２１は、電話回線４を介して情報を送受信するものである。具体的には、サーバ側通信部２１は、電話回線４を介して、データ送信装置１およびデータ受信装置３と情報の送受信を行う。また、上記サーバ側無線ＬＡＮ通信部２２は、無線ＬＡＮ回線５を介して情報を送受信するものである。具体的には、上記サーバ側無線ＬＡＮ通信部２２は、無線ＬＡＮ回線５を介して、データ送信装置１およびデータ受信装置３と情報の送受信を行う。【００５０】  上記情報記憶部２３は、各種の情報やデータを記憶するものである。上記情報記憶部２３は、管理テーブル記憶部４１と共有データ記憶部４０とを備えている。【００５１】  上記共有データ記憶部４０は、データ送信装置１から受信した共有データを記憶するものである。上記共有データは、複数の共有データが含まれているフォルダ単位毎に共有データを記憶してもよく、また、共有データ単位で記憶してもよい。【００５２】  管理テーブル記憶部４１は、上記共有データと、当該共有データを共有する共有先に関する情報である共有装置情報との対応付けを記憶する。具体的には、上記対応付けは、管理テーブル上に記録され、上記管理テーブル記憶部４１はこの管理テーブルを記憶している。管理テーブルの具体例については後述する。【００５３】  上記サーバ側送信情報作成部２５は、データ受信装置３に対して送信する送信データを作成するものである。そして、サーバ側送信情報作成部２５は、識別情報作成部４８を備えている。この識別情報作成部４８は、情報記憶部２３の共有データ記憶部４０および管理テーブル記憶部４１を参照して、識別情報を作成するものである。そして、上記サーバ側送信情報作成部２５は、上記識別情報と後述するパスワード���成部４４によって作成されたパスワードを含む送信データを作成する。【００５４】  上記管理部２４は、データ送信装置１およびデータ受信装置３から送信されてくる各種のデータに基づいて、当該受信したデータを管理するものである。具体的には、管理部２４は、データ送信装置１に対して認証情報を作成するとともに、データ送信装置１から当該認証情報が付された共有データを受信すると、上記認証情報が適切であるか否かを判断し、適切であれば、共有データを保存するとともに、上記認証情報と共有情報とを対応付ける。また、上記管理部２４は、データ送信装置１から、上記共有データを共有する共有先に関する共有装置情報を受信すると、共有データと上記共有装置情報とを対応付けて管理する。【００５５】  また、上記管理部２４は、データ受信装置３に対して、パスワードを作成するとともに、上記データ受信装置３からパスワードが付されたダウンロード要求を受信すると、上記パスワードが適切であるか否かを判断し、適切であればダウンロード要求に基づいて共有データをデータ受信装置３に対して送信する。【００５６】  ここで、上記管理部２４の詳細な構成について説明する。上記管理部２４は、パスワード判定部４３、パスワード作成部４４および管理テーブル管理部４５を備えている。そして、管理テーブル管理部４５は、送信側管理部４６と受信側管理部４７とを備えている。【００５７】  上記パスワード作成部４４は、管理テーブル管理部４５の指示により、パスワードおよび認証情報を作成するものである。なお、上記パスワードと認証情報とについては、説明の便宜上、データ送信装置１とサーバ２との間のやり取りに対しては認証情報、データ受信装置３とサーバ２との間のやり取りに対してはパスワードとして説明しているものであり、同じ意味をもつものである。【００５８】  上記パスワード判定部４３は、データ送信装置１（データ受信装置３）から受信した認証情報（パスワード）と、管理テーブル記憶部４１に記憶されている認証情報（パスワード）とが同じであるか否かを判断する。より具体的には、パスワード判定部４３は、データ送信装置１（データ受信装置３）から送信されてきた認証情報（パスワード）が、パスワード作成部４４によって作成され管理テーブル記憶部４１に記憶されている認証情報（パスワード）と一致するか否かを判断するものである。【００５９】  上記管理テーブル管理部４５は、データ送信装置１またはデータ受信装置３から送信されてくる種々のデータに基づいて、パスワード判定部４３およびパスワード作成部４４を動作させるとともに、管理テーブル記憶部４１を更新するものである。【００６０】  そして、上記送信側管理部４６は、データ送信装置１から送信されてくるデータに応じて、パスワード作成部４４に対して認証情報の作成指示、パスワード判定部４３に対して認証情報の判定指示、共有データ記憶部４０に対して共有データ記憶指示、および、管理テーブルの更新等を行うものである。【００６１】  一方、受信側管理部４７は、パスワード作成部４４に対してパスワードの作成指示、識別情報作成部４８に対して、データ受信装置３へ送信する送信データの作成指示、パスワード判定部４３に対して、データ受信装置３から送信されてきたパスワードの判定指示、共有データの送信等を行うものである。【００６２】  ここで、管理テーブル記憶部４１に記憶されている管理テーブルの一例について説明する。なお、以下の管理テーブルの説明では、複数の共有データを格納可能なフォルダ単位で管理が行われている例について説明する。【００６３】  図５は、上記管理テーブルの一例を示す図面である。図５に示すように、管理テーブルには、フォルダ名、フォルダ作成者のユーザＩＤ、共有先リスト（共有装置情報）、および、フォルダ内のファイルリストが記録されている。【００６４】  そして、上記共有先リストには、共有先ユーザＩＤとパスワードおよび共有先ユーザのメールアドレスとが含まれており、フォルダ内のファイルリストには、ファイル名と登録者のユーザＩＤとが含まれている。これにより、上記管理テーブル管理部４５は、上記管理テーブルに基づいて、共有データと共有装置情報とを対応付けて管理している。【００６５】  ここで、データ送信装置１とデータ受信とが共有データを共有するための流れについて説明する。【００６６】  図１は、データ送信装置１とサーバ２とデータ受信装置３との間でやり取りされる各種の情報の流れを説明する図面である。【００６７】  まず、データ送信装置１からサーバ２に対して当該データ送信装置１固有のＩＤが電話回線４を介して送信される。上記ＩＤは、装置固有のものであればよく、上記データ送信装置１が携帯電話の場合には電話番号をＩＤとすればよい。次に、サーバ２は、上記ＩＤを受信すると認証情報を作成し、当該作成した認証情報をデータ送信装置１に対して電話回線４を介して送信する。【００６８】  次に、データ送信装置１は、カメラ部１６を用いて撮影を行う。そして、撮影によって得られた画像データは、画像データ保存部１５に保存される。なお、上記カメラ部１６を用いての撮影は、予め行っていてもよくまた、画像データ保存部１５に共有すべき共有データが既に存在する場合には撮影は行わなくてよい。【００６９】  そして、画像データ保存部１５に、他の装置と共有したい共有データが存在する場合には、データ送信装置１は、サーバ２の共有データ記憶部４０に対して無線ＬＡＮ回線５を介して、上記共有データを送信する。この共有データを送信する際に、無線ＬＡＮの圏内にデータ送信装置１がない場合には、データ送信装置１が移動して無線ＬＡＮの圏内に入った際に共有データを送信すればよい。【００７０】  サーバ２の共有データ記憶部４０に共有すべき共有データが記憶されると、サーバ２は、データ受信装置３に対して、共有データをダウンロードするための必要なパスワードと新たに記憶された共有データを特定するための識別情報とを電話回線４を介して送信する。【００７１】  上記パスワード及び識別情報を受信したデータ受信装置３は、自信が無線ＬＡＮの圏内にあるか否かを判断し、圏内である場合にはサーバ２に対して、無線ＬＡＮ回線５を介して、上記パスワードと共有データをダウンロードするためのダウンロード要求を送信する。【００７２】  そして、上記パスワードとダウンロード要求を受信したサーバ２は、パスワードが適切なものであるか否かを判断する、換言す��と、サーバ２は受信したパスワードと自身が送信したパスワードとが同じであるか否かを判断し、同じである場合には、共有データをデータ受信装置３に対して無線ＬＡＮ回線５を介して送信する。【００７３】  また、例えば、上記パスワードを知らない端末から共有データのダウンロード要求を受けた場合には、上記端末はパスワードを知らないのでダウンロードを行うことができない。【００７４】  図６は、サーバ２とデータ送信装置１との間で情報のやり取りを示す状態遷移図であり、図７は、サーバ２とデータ受信装置３との間で情報のやり取りを示す状態遷移図である。以下に、データ送信装置１とサーバ２とデータ受信装置３との間でやり取りされる各種の情報の流れをより詳細に説明する。【００７５】  まず、データ送信装置１の送信側情報受信部１２は、サーバ２から認証情報を取得するための、データ送信装置１固有のＩＤを、送信側通信部１１を用いて電話回線４を介して、サーバ２に送信する（Ｓ１１）。なお、上記ＩＤはデータ送信装置１固有のものであり、このＩＤは予め各装置に設定されている。例えば、上記データ送信装置１が携帯電話である場合には、電話番号が上記ＩＤに該当する。また、図面上では、上記ＩＤをＵＩＤとして説明する。【００７６】  データ送信装置１からＩＤを、サーバ通信装置を介して受信する（Ｓ１２）と、上記送信側管理部４６は、パスワード作成部４４を動作させて、上記ＩＤに対応した認証情報を作成する（Ｓ１３）。そして、送信側管理部４６は、作成した上記認証情報を、サーバ側通信部２１を用いて電話回線４を介してデータ送信装置１に送信する（Ｓ１４）。そして、送信側管理部４６は、受信したＩＤと作成した認証情報とを情報記憶部２３の管理テーブル記憶部４１に記憶する（Ｓ１５）。【００７７】  上記認証情報を受信すると、認証情報取得部１８は当該認証情報を取得（Ｓ１６）する。次に、送信側情報送信部１０は、共有データの共有先を設定するために、共有先設定部１７を動作させて共有装置情報を作成する（Ｓ１７）。そして、送信側情報送信部１０は、作成した共有装置情報と認証情報とＩＤとを電話回線４を介してサーバ２に送信する（Ｓ１８）。【００７８】  データ送信装置１から送信された共有装置情報と認証情報とＩＤとを受信する（Ｓ１９）と、送信側管理部４６は、これらの情報を管理テーブル記憶部４１に記憶させる（Ｓ２０）。これにより、共有データを共有する共有先の設定が行われる。【００７９】  次に、データ送信装置１からサーバ２に対して共有データの送信を行う。具体的には、送信データ作成部１４は、画像データ保存部１５に保存されている共有すべき共有データと送信側情報受信部１２から送信されてくる認証情報及びＩＤとに基づいてサーバ２に送信するための送信データを作成する（Ｓ２１）。そして、送信データ作成部１４は、作成した送信データを、送信側無線ＬＡＮ通信を用いて無線ＬＡＮ回線５を介してサーバ２に送信する（Ｓ２２）。このとき、送信側無線ＬＡＮ通信部１３は、上記送信データを送信する際に暗号化してサーバ２に送信することが好ましい。【００８０】  送信データを受信する（Ｓ２３）と、送信側管理部４６は、パスワード判定部４３を動作させて、���信データに含まれている認証情報と管理テーブル記憶部４１に記憶されている管理テーブルに含まれている認証情報とを参照して、当該送信データは適切であるか否かを判断する（Ｓ２４）。より詳細には、パスワード判定部４３は、送信データに含まれている認証情報とＩＤとの組み合わせが、管理テーブルに含まれている認証情報とＩＤとの組み合わせに該当するか否かを判断する。そして、パスワード判定部４３は、管理テーブルに含まれている認証情報とＩＤとの組み合わせに該当すると判断すると、送信側管理部４６に適切である旨を返す。一方、パスワード判定部４３は、該当しないと判断すると、送信側管理部４６に適切でない旨を返す。【００８１】  パスワード判定部４３から適切である旨の連絡を受信すると、送信側管理部４６は、受信した共有データを、共有データ記憶部４０に記憶させる（Ｓ２５）ととともに、管理テーブル記憶部４１に記憶されている管理テーブルを更新し、上記共有データと共有装置情報とを対応付ける。より詳細には、送信側管理部４６は、受信した送信データの認証情報とＩＤと対応する情報を管理テーブル記憶部４１に記憶されている管理テーブルから検索し、該当する認証情報とＩＤとに対応付けられている共有装置情報と、上記受信した共有データとを対応付ける。一方、パスワード判定部４３から適切でない旨の連絡を受信すると、送信側管理部４６は、受信した送信データを破棄する。【００８２】  このようにして、サーバ２の共有データ記憶部４０には、共有すべき共有データが記憶され、この共有データと共有すべき共有先とが対応付けられた管理テーブルが作成される。【００８３】  次に、サーバ２とデータ受信装置３との間でやり取りされる情報の流れについて図７を参照して説明する。【００８４】  共有データを共有データ記憶部４０に記憶すると、管理テーブル管理部４５の送信側管理部４６は、受信側管理部４７に共有データを記憶した旨を通知する。新たに共有データが記憶された旨を受信した受信側管理部４７は、パスワード作成部４４を動作させて、上記新たに記憶された共有データをダウンロードするためのパスワードを作成する（Ｓ３１）。そして、上記受信側管理部４７は、作成されたパスワードと上記共有データとを対応付ける。具体的には、受信側管理部４７は、管理テーブルを更新し、上記共有データと当該共有データを共有する共有先のＩＤとパスワードとを対応付ける。【００８５】  そして、受信側管理部４７は、作成されたパスワードと、新たに共有データが記憶された旨をサーバ側送信情報作成部２５に送信する。パスワードと新たに共有データが記憶された旨を受信したサーバ側送信情報作成部２５は、識別情報作成部４８を動作させて、新たに記憶された共有データを特定することができる識別情報を作成する。具体的には、上記識別情報作成部４８は、例えば、共有データの名称等の識別子や当該共有データが格納されている位置等の新たに記憶された共有データを特定するための識別情報を作成する（Ｓ３２）。【００８６】  そして、上記サーバ側送信情報作成部２５は、管理テーブル記憶部４１に記憶されている管理データの共有装置情報に基づいて、上記パスワードと識別情報とを、共有データの共有先���あるデータ受信装置３に対して、電話回線４を用いて送信する（Ｓ３３）。なお、図面上ではパスワードをＰＷとして記している。【００８７】  受信側情報取得部３２は、上記パスワードと識別情報とを受信側通信部３１を介して受信する（Ｓ３４）と、パスワード取得部３６を動作させてパスワードを取得して保持する。【００８８】  そして、識別情報は、図示しない表示部に表示され、ユーザによって、共有データを取得するか否かが判断される。【００８９】  次に、ユーザによって共有データの取得命令が出された場合、受信側情報作成部３３は、共有データをダウンロードするためのダウンロード要求を作成する（Ｓ３５）。このとき、受信側情報作成部３３は、共有データ保存部３５を参照して、サーバ２から取得しようとしている共有データが既に存在するか否かを判断している。そして、新たにサーバ２から取得しようとする共有データが既に保存されている場合には、表示部にその旨を表示して共有データのダウンロード処理を終了する。【００９０】  一方、新たにサーバ２から取得しようとする共有データが、共有データ保存部３５に保存されていない場合には、受信側情報作成部３３は、当該共有データを取得するためのダウンロード要求を作成する。このダウンロード要求は、例えば、ダウンロードする共有データの名前またはダウンロードする共有データの格納先のアドレス等であればよい。また、受信側情報作成部３３は、パスワード取得部３６から、サーバ２から送信されてきたパスワードを取得する。【００９１】  そして、上記受信側情報作成部３３は、上記ダウンロード要求とパスワードとデータ受信装置３固有のＩＤとを無線ＬＡＮ回線５を介してサーバ２に送信する（Ｓ３６）。【００９２】  サーバ側無線ＬＡＮ通信部２２を介して、上記ダウンロード要求とパスワードとＩＤとを受信（Ｓ３７）した受信側管理部４７は、パスワード判定部４３を動作させて、受信したパスワードが適切であるか否かを判断する（Ｓ３８）。【００９３】  具体的には、受信側管理部４７は、パスワード判定部４３を動作させて、受信したＩＤとパスワードとの組み合わせが、管理テーブルに含まれているパスワードとＩＤとの組み合わせに該当するか否かを判断する。そして、該当するものがある場合には適切であり、該当しないものがある場合には適切でないと判断する。そして、適切でないと判断すると処理を終了する。【００９４】  そして、送信されてきたパスワードとＩＤとが適切であると判断した場合には、受信側管理部４７は、上記ダウンロード要求に該当する共有データを、無線ＬＡＮ回線５を介してデータ受信装置３に送信する（Ｓ３９）。【００９５】  受信側無線ＬＡＮ通信部３４は、共有データを受信する（Ｓ４０）と、当該共有データを共有データ保存部３５に送信し、記憶させる。このようにして、データ受信装置３は、共有すべき共有データを受信する。【００９６】  なお、上記無線ＬＡＮ回線５を介して情報を送信する際には、暗号化した状態で送信することが好ましい。【００９７】  また、無線ＬＡＮ回線５は、電話回線４と比べて情報を送受信できるエリアが小さく、電話回線４を介して情報を取得することができても、無線ＬＡＮを介して情報の取得ができない領域がある。従って、上記受信側無線ＬＡＮ通信部３４は、受信側圏内判定部３７を備えている。そして、本実施の形態では、受信側圏内判定部３７によって、無線ＬＡＮ回線５を用いて情報の送受信が可能となったことを判断し、上記無線ＬＡＮ回線５を用いて種々の情報の送受信を行っている。【００９８】  また、上記ステップＳ２０にて、共有装置情報と認証情報とＩＤとを受信した送信側管理部４６は、パスワード判定部４３を用いて、送信されてきた認証情報と管理テーブル記憶部４１に記憶されている認証情報とが同じであるか否かを判断してもよい。そして、同じである場合のみ、共有装置情報を管理テーブルに記憶するようにしてもよい。【００９９】  また、例えば、サーバ２からデータ受信装置３に対して送信したパスワードを、或る特定の暗号化鍵で暗号された暗号化情報を復号化できる復号化鍵とし、サーバ２からデータ受信装置３に対して共有データを送信する際に、当該共有データを上記或る特定の暗号化鍵で暗号化したものを送信してもよい。この場合には、データ受信装置３は、暗号化された共有データを受信すると、上記パスワードである復号化鍵を用いて暗号化された共有データを復号化してもよい。【０１００】  また、上記の説明では、共有装置情報を、共有データとは別に送信する構成について説明したが、当該共有情報を共有データと同時に送信してもよい。この場合、共有装置情報としては共有先を特定する情報のみを共有データとともにサーバに送信すればよい。【０１０１】  以上のように、本実施の形態に係るサーバ２は、データ送信装置１から複数装置間で共有する共有データを受信する受信側管理部４６と、共有データを記憶する共有データ記憶部４０と、上記受信した共有データと、当該共有データを共有する装置に関する共有装置情報とを対応付けて管理する管理テーブル管理部４５と、共有データを受信すると、上記共有装置情報に基づいて、当該共有データを共有するデータ受信装置３に対して、上記共有データを特定するための識別情報（共有データ識別情報）と自装置から上記共有データをダウンロードするための認証情報とを、電話回線４を用いて送信するサーバ側送信情報作成部２５と、上記電話回線４よりも通信速度が速い無線ＬＡＮ回線を介して、データ受信装置３から受信した、共有データをダウンロードするためのダウンロード要求に付加されている認証情報が、自装置から送信した認証情報と一致するか否かを判断するパスワード判定部４３と、上記パスワード判定部４３が一致すると判断した場合に、上記電話回線４よりも通信速度が速い無線ＬＡＮ回線（高速通信回線）を用いて、上記ダウンロード要求に基づく共有データをデータ受信装置３に対して送信する受信側管理部４７とを備える構成である。【０１０２】  上記識別情報とは共有データを特定するための情報であり、具体的には、共有データの識別子（名前）または共有データが格納されている位置を示す情報が識別情報に該当する。そして、識別情報は、共有データよりも情報量が小さい。【０１０３】  上記の構成によれば、データ受信装置３が送信した認証情報が、サーバ２自身が送信した認証情報であるか否かを判断し、その判断結果に基づいて、当該データ受信装置３からダウンロード要求のあった共有データの送信を行っている。具体的には、上記認証情報が、一致した場合に、上記ダウンロード要求のあった共有データをデータ送信装置１に送信している。【０１０４】  また、認証情報をデータ受信装置３に対して電話回線４を用いて送信している。電話回線４は、情報を送受信する際に、伝送路上での情報の漏洩の心配が少ない安全な回線である。従って、電話回線４を用いて認証情報を送信することで、当該認証情報がデータ受信装置３以外の他に漏れることを防止することができる。【０１０５】  そして、上記の構成によれば、データ受信装置３に対して共有データを送信する際、換言すると、データ受信装置３が共有データをダウンロードする際、データ受信装置３から送信されてくる認証情報を確認した後で、上記共有データのダウンロードを行っている。従って、認証情報を送信してきたデータ受信装置３のみに対して上記共有データのダウンロードを許可することができる。これにより、特定のユーザ間でのみ確実に情報を共有することができる。【０１０６】  また、データ受信装置３から受信した認証情報を含むダウンロード要求およびデータ受信装置３に対して送信する共有データについては、伝送路上を暗号化した状態で送受信することが好ましい。これにより、サーバ２からデータ受信装置３までの伝送路情報の間で、上記認証情報および共有データが漏洩することを防止することができる。従って、上記の構成とすることにより、特定のユーザ間（特定のデータ送信装置１と特定データ受信装置３の間）でのみ確実に共有データを共有することができる。【０１０７】  また、上記の構成では、データ受信装置３はサーバ２から識別情報を受信した時点で他の装置間で情報を共有するための共有データが存在することを知ることになる。つまり、上記データ受信装置３は、当該データ受信装置３自身が情報の共有先を設定するのではなく、データ送信装置１またはサーバ２によって共有が設定されたデータ受信装置３に対して識別情報を送信している。従って、データ送信装置１またはサーバ２は、上記共有データを共有する共有相手（データ受信装置３）を指定することができる。【０１０８】  また、本実施の形態に係るサーバ２は、上記サーバ側送信情報作成部２５が、上記認証情報を、共有データを共有すべきデータ受信装置３毎に異ならせて送信するものである構成がより好ましい。【０１０９】  上記の構成によれば、認証情報を、各データ受信装置３毎に異ならせているので、ユーザ単位の認証が可能になる。【０１１０】  また、本実施の形態に係るサーバ２は、上記管理テーブル管理部４５が、データ送信装置１から受信した共有装置情報と共有データとを対応付けて管理する構成であることがより好ましい。【０１１１】  上記の構成によれば、上記管理テーブル管理部４５は、データ送信装置１から受信した共有装置情報と共有データとを対応付けて管理している。つまり、上記管理テーブル管理部４５は、データ送信装置１によって設定された共有装置情報に基づいて、共有データを共有すべき装置（データ受信装置３）に、認証情報を送信することができる。【０１１２】  これにより、データ送信装置１の操作者は、自身が希望する共有先（データ受信装置３）と共有データの共有が可能になる。
また、本実施の形態に係るサーバ２は、上記電話回線４以外の通信回線が、無線ＬＡＮ回線５である構成がより好ましい。【０１１３】  上記無線ＬＡＮ回線５は、一般に、電話回線４と比べて通信速度は速いが情報を取得できる範囲が狭い。そこで、上記の構成によれば、識別情報を電話回線４で送信し、共有データそのものは無線ＬＡＮ回線５で送信している。これにより、データ受信装置３は、識別情報があるか否かに関しては常時知ることができ、実際の共有データの取得に関しては無線ＬＡＮ回線５を用いて行うことにより、効率よく共有データを受信することができるとともに、共有データが存在するか否かを早く知ることができる。【０１１４】  本実施の形態に係るデータ受信装置３は、上記課題を解決するために、複数の装置間で共有すべき情報である共有データを記憶しているサーバ２からデータを受信するデータ受信装置３であって、上記共有データを特定するための識別情報と上記サーバ２から共有データをダウンロードするための認証情報とを電話回線４を介してサーバ２から受信する受信側情報取得部３２と、上記共有データをダウンロードするためのダウンロード要求と上記認証情報とを、上記電話回線４よりも通信速度が速い無線ＬＡＮ回線を用いて、上記サーバ２に対して送信する受信側情報作成部３３と、上記識別情報によって特定された共有データを、サーバ２から上記無線ＬＡＮ回線５を介して受信する受信側無線ＬＡＮ通信部３４とを備える構成がより好ましい。【０１１５】  上記識別情報とは共有データを特定するための情報であり、具体的には、共有データの識別子（名前）または共有データが格納されている位置を示す情報が識別情報に該当する。そして、識別情報は、共有データよりも情報量が小さい。上記の構成によれば、サーバ２から識別情報を、電話回線４を用いて受信している。従って、一般に通信速度が遅い電話回線４であっても受信することができる。【０１１６】  上記の構成によれば、共有データを取得するための認証情報をサーバ２から受信し、共有データを取得する場合には、上記認証情報をサーバ２に送信している。これにより、例えば、認証情報を知らない第三者が上記共有データを取得することを防止することができる。【０１１７】  また、上記の構成によれば、データ受信装置３は、サーバ２から識別情報を受信している。これにより、共有データの存在を知ることができる。つまり、データ受信装置３は、サーバ２に共有データが存在する状態になった場合に、識別情報を受信するので、データ受信装置３がサーバ２に対して共有データがあるか否かを問い合わせる必要がない。【０１１８】  また、共有データは、電話回線４よりも通信速度が速い無線ＬＡＮ回線を用いて受信している。無線ＬＡＮ回線は、電話回線４よりも通信速度が速いので、例えば、情報量が大きい共有データであっても良好に受信することができる。【０１１９】  つまり、上記の構成によれば、サーバ２から送信されてきた認証情報を用いて共有データを取得（受信）しているので、上記認証情報を持たない他の機器は、上記共有データを取得することができない。【０１２０】  本実施の形態に係るデータ受信装置３は、上記受信側無線ＬＡＮ通信部３４が、上記��有データを暗号化した状態で受信する構成がより好ましい
上記の構成によれば、上記サーバ２から送信されてくる共有データを暗号化された状態で受信しているので、当該共有データが伝送路上を送信されている際に、他に漏洩することを防止できる。【０１２１】  なお、上記共有データを暗号化した状態で受信する方法としては、例えば、セキュアｈｔｔｐ等の通信プロトコルを用いて共有データを送信してもよく、暗号化鍵を用いて暗号化された共有データをサーバ２から受信するとともに、サーバ２から電話回線４を介して上記暗号化された共有データを復号化するための復号化鍵を取得してもよい。また、上記認証情報を、上記復号化鍵としてもよい。【０１２２】  本実施の形態に係るデータ送信装置１は、上記の課題を解決するために、複数の装置間で共有する共有データをサーバ２に対して送信するデータ送信装置１であって、上記サーバ２にアクセスするための認証情報を、電話回線４を介して上記サーバ２から受信する認証情報受信手段と、上記サーバ２に対して、上記認証情報を付した共有データを上記電話回線４よりも通信速度が速い無線ＬＡＮ回線を用いて送信する送信情報作成部とを備える構成である。【０１２３】  上記の構成によれば、電話回線４を用いて認証情報を受信しているので、データ送信装置１は、当該認証情報を安全かつ確実に受信することができる。また、上記の構成によれば、上記共有データを、電話回線４よりも通信速度が速い無線ＬＡＮ回線を用いて送信するので、例えば、大容量のデータであっても、高速に送信することができる。【０１２４】  なお、上記無線ＬＡＮ回線は、サーバ２からデータ受信装置３に対して共有データの送信を行う無線ＬＡＮ回線と同じものであっても異なっていてもよい。【０１２５】  本実施の形態に係るデータ送信装置１は、上記共有データを共有する装置に関する共有装置情報を、電話回線４または無線ＬＡＮ回線を用いてサーバ２に送信する送信側情報送信部１０を備える構成がより好ましい。【０１２６】  上記の構成によれば、データを共有する装置を、データ送信装置１が指定することができる。なお、上記共有装置情報とは、例えば、共有データを共有する装置のアドレスまたは識別情報（ＩＤ）等であってもよく、予め特定の装置と共有データを共有することが設定されているデータフォルダを指定するフォルダ名等であってもよい。【０１２７】  本実施の形態に係るデータ送信装置１は、上記送信側情報送信部１０は、上記共有データの識別子と上記共有装置情報とをサーバ２に対して送信する構成がより好ましい。【０１２８】  上記の構成のよれば、上記共有装置情報と共有データの識別子とをサーバ２に対して送信しているので、共有データ単位での共有の設定を行うことができる。【０１２９】  本実施の形態に係るデータ送信装置１は、上記送信情報作成部が、上記認証情報を付した共有データを送信する際に、当該共有データを共有すべき装置に関する共有装置情報を送信するものである構成がより好ましい。【０１３０】  上記の構成によれば、共有データを共有すべき装置に関する共有装置情報を当該共有データとともに送信することにより、データ単位で共有すべきか否かを設定することができる。【０１３１】  本実施の形態にかかるデータ共有システムは、上��の課題を解決するために、上記データ送信装置１と、上記サーバ２と、上記データ受信装置３とを備えた構成である。【０１３２】  上記の構成とすることにより、特定のユーザ間でのみ確実に情報を共有するためのデータ共有システムを提供することができる。【０１３３】  また、上記の説明では、無線ＬＡＮ回線５を用いて共有データの送受信を行う構成について説明している。しかしながら、上記共有データの送受信を行う通信回線としては、上記無線ＬＡＮに限定されるものではない。具体的には、上記通信回線として、例えば、ＬＡＮ回線、Ｂｌｕｅｔｏｏｔｈ（登録商標）回線等を用いてもよい。なお、共有データの送受信を行う際には、伝送路上で暗号化された状態となるように上記共有データを暗号化して送信することがより好ましい。【０１３４】  また、上記の説明では、データ送信装置１から送信された共有データは、サーバ２の共有データ記憶部４０に記憶される構成について説明している。しかし、共有データを格納するものとしては、サーバ２の共有データ記憶部４０に限れられるものではない。例えば、サーバ２とは別の装置にて共有データを格納しておき、サーバ２の管理テーブル記憶部４１に、上記共有データの格納元に関する情報を記憶させておくことにより、管理テーブル管理部４５は、上記共有データを取得することができる。従って、上記共有データ記憶部４０に関しては、サーバ２内になくてもよい。【０１３５】  また、上記の説明では、無線ＬＡＮ回線５と電話回線４との両方を持っているデータ送信装置１及びデータ受信装置３について説明しているが、例えば、無線ＬＡＮ回線５によって通信が可能な装置と電話回線４によって通信が可能な装置とを接続することにより、データ送信装置１およびデータ受信装置３を構成してもよい。【０１３６】  図８は、データ受信装置３の他の構成を示す図面である。図８に示すように、携帯端末とパソコンとからデータ受信装置３が構成されている。より具体的には、携帯端末で、サーバ２から認証情報（パスワード）を受信し、その認証情報をパソコンに送信し、パソコンがサーバ２に対して上記認証情報を用いてアクセスすることにより、共有データの閲覧およびダウンロードを可能にしている。このように、データ受信装置３の構成としては、１つの筐体のみから構成されているものに限定されるものではない。【０１３７】  また、上記の構成によれば、認証情報及びパスワードが、各データ送信装置１および各データ受信装置３単位に設定されている構成について説明したが、認証情報及びパスワードの設定方法については上記に限定されるものではない。【０１３８】  具体的には、サーバ２の共有データ記憶部４０に、複数の共有データを格納することができるフォルダを作成し、このフォルダ単位で認証情報およびパスワードを設定してもよい。また、個々の共有データ単位に認証情報及びパスワードを設定してもよい。そして、例えば、フォルダ単位に認証情報およびパスワードを設定する場合には、データ送信装置１が、共有データを格納するフォルダを登録した際に、当該フォルダの共有先の設定が行われる。具体的には、サーバ２は、データ送信装置１から共有装置情報を受信した際に、フォルダを作成すればよい。そして、フォルダを作成したサーバ２は、当該フォルダの共有先に対して、電話回線４を用いて、当該フォルダにアクセスするための認証情報またはパスワードを送信すればよい。【０１３９】  なお、フォルダ単位で認証情報またはパスワードを付す場合や、共有フォルダの設定を行う場合等の各種の操作を行う場合には、図９に示す情報をサーバ２に対して送信またはサーバ２から受信すればよい。なお、図中データ登録の際にサーバ２へ送信する情報、データ削除の際のサーバ２へ送信する情報、データ閲覧する際にサーバ２へ送信する情報、および、端末（データ受信装置３）へ共有データを送信するためにサーバ２へ送信する情報およびサーバ２から受信する共有データに関しては、無線ＬＡＮ回線５を用いて送受信を行っている。それ以外の情報については電話回線４を用いて情報の送受信を行っている。【０１４０】  また、本実施の形態にかかるデータ送信装置１は、上記情報を暗号化して送信するための暗号化鍵と、当該サーバ２における情報の格納位置とを、電話回線４を介して上記サーバ２から受信する暗号化鍵受信手段と、上記暗号化鍵受信手段によって取得した暗号化鍵を用いて、サーバ２に送信するための上記情報を暗号化する暗号化手段と、上記暗号化手段によって暗号化された暗号化情報を、上記電話回線４とは別の無線ＬＡＮ回線を用いて、上記サーバ２における情報の格納位置に対して送信する暗号化情報送信手段とを備える構成であってもよく、また、サーバ２（データ蓄積装置）に対して情報を送信するデータ送信装置１であって、電話回線４を用いて、サーバ２に対して情報を共有する通信機器に関する識別情報を送信するとともに、上記サーバ２から当該サーバ２に対して上記情報を暗号化して送信するための暗号化鍵と当該サーバ２における情報の格納位置とを受信する情報送受信手段と、上記認証通信手段によって取得した暗号化鍵を用いて、サーバ２に送信する情報を暗号化する暗号化手段と、上記暗号化手段によって暗号化された暗号化情報を、上記電話回線４とは別の無線ＬＡＮ回線を用いて、サーバ２に対して送信する暗号化情報送信手段とを備える構成であってもよい。【０１４１】  上記の構成によれば、サーバ２から暗号化鍵を受信して、当該暗号化鍵を用いて暗号化した暗号化情報を、サーバ２における情報の格納位置に対して、暗号化鍵を受信した電話回線４とは別の無線ＬＡＮ回線を用いて送信している。【０１４２】  これにより、例えば、通信速度および安全性が異なる２つの回線を備えたデータ送信装置１の場合に、暗号化情報をより高速な通信回線（ここでは無線ＬＡＮ回線）を用いて送信することで、大容量の情報であっても高速に送信することができる。また、暗号化鍵をより安全性の高い通信回線（ここでは電話回線４）を用いて受信することで、暗号化鍵が伝送路上で漏洩することを防止することができる。また、安全性の高い通信回線を用いて暗号化鍵を受信した場合、他方の通信回線では、暗号化された暗号化情報を送信するので、当該他方の回線として安全性が高くない通信回線を用いた場合であっても、情報の漏洩を防止することができる。【０１４３】  また、例えば、データ送信装置１として携帯端末を用いた場合、電話回��４を用いて暗号化鍵を受信し、ワイヤレスＬＡＮ（Ｗ−ＬＡＮ、無線ＬＡＮ）およびＢｌｕｅｔｏｏｔｈ等の高速通信回線を用いて暗号化した暗号化情報を送信することができる。特に、携帯端末の場合には安全性が高い電話回線４を備えているため、他に暗号鍵が漏洩することなく簡単かつ確実に当該暗号鍵を受信することができる。そして、暗号化した暗号化情報を、高速通信回線を用いてサーバ２に送信することができるので、大量の情報の送信を行うことができる。【０１４４】  つまり、データ送信装置１が携帯端末の場合には、特に、セキュリティーを意識することなく、高速通信回線を用いて、安全に情報をサーバ２に送信することができる。【０１４５】  また、本実施の形態にかかるデータ送信装置１は、上記電話回線４よりも無線ＬＡＮ回線の方が、伝送速度が速い構成がより好ましい。【０１４６】  また、本実施の形態にかかるデータ送信装置１は、上記無線ＬＡＮ回線よりも電話回線４の方が、安全性が高い構成がより好ましい。【０１４７】  また、本実施の形態にかかるデータ送信装置１は、無線ＬＡＮ回線にて、情報の送受信が可能であるか否かを判断する判断手段を備え、上記暗号化情報送信手段は、情報の送受信が可能であると判断すると、上記暗号化情報をサーバ２に対して送信する構成がより好ましい。上記通信回線が、例えば、ワイヤレスＬＡＮ（Ｗ−ＬＡＮ、無線ＬＡＮ）およびＢｌｕｅｔｏｏｔｈ等である場合、サーバ２と情報の送受信を行う場所が電話回線４等と比べて限定されている。上記の構成によれば、無線ＬＡＮ回線にて、データの送受信が可能な場合に、暗号化情報をサーバ２に送信しているので、確実に暗号化情報を送信することができる。【０１４８】  また、本実施の形態にかかるサーバ２は、データ送信装置１から情報を受信するとともに。当該受信した情報を、当該情報を共有するデータ受信装置３に対して送信するサーバ２であって、データ送信装置１が情報を送信する際に当該情報を暗号化して送信するための暗号化鍵と、暗号化された暗号化情報を格納するための自装置における情報の格納位置とを、電話回線４を用いてデータ送信装置１に対して送信する暗号化鍵送信手段と、上記データ送信装置１から上記暗号化情報を、上記電話回線４とは別の無線ＬＡＮ回線を介して受信するとともに、自装置における情報の格納位置に格納する暗号化情報受信手段と、上記暗号化鍵にて暗号化された暗号化情報を復号化するための復号化鍵と、データ送信装置１から受信した暗号化情報と、格納位置に格納された暗号化情報の送信先であるデータ受信装置３の送信先情報とを対応付けて管理する管理手段と、電話回線４を用いて、上記復号化鍵をデータ受信装置３に送信する復号化鍵送信手段と、上記電話回線４とは別の無線ＬＡＮ回線を用いて、上記暗号化情報をデータ受信装置３に対して送信する暗号化情報送信手段とを備える構成であってもよい。【０１４９】  また、本実施の形態にかかるデータ受信装置３は、サーバ２から、暗号化された暗号化情報を受信するとともに、当該暗号化情報を復号化するデータ受信装置３であって、電話回線４を介して、上記サーバ２から暗号化された暗号化情報を受信する受信側暗号化情報受信手段と、上記電話回線��とは別の無線ＬＡＮ回線を介して、上記サーバ２から上記暗号化情報を復号化するための復号化鍵を受信する復号化鍵受信手段と、受信した復号化鍵を用いて上記暗号化情報を復号化する復号化手段とを備える構成であってもよい。【０１５０】  また、上記各実施形態では、データ送信装置１、データ受信装置３およびサーバ２を構成する各部材が、「ＣＰＵなどの演算手段がＲＯＭやＲＡＭなどの記録媒体に格納されたプログラムコードを実行することで実現される機能ブロックである」場合を例にして説明したが、同様の処理を行うハードウェアで実現してもよい。また、処理の一部を行うハードウェアと、当該ハードウェアの制御や残余の処理を行うプログラムコードを実行する上記演算手段とを組み合わせても実現することもできる。さらに、上記各部材のうち、ハードウェアとして説明した部材であっても、処理の一部を行うハードウェアと、当該ハードウェアの制御や残余の処理を行うプログラムコードを実行する上記演算手段とを組み合わせても実現することもできる。なお、上記演算手段は、単体であってもよいし、装置内部のバスや種々の通信路を介して接続された複数の演算手段が共同してプログラムコードを実行してもよい。また、上記各部材のうちの記憶部は、メモリなどの記憶装置自体であってもよい。【０１５１】  上記演算手段によって直接実行可能なプログラムコード自体、または、後述する解凍などの処理によってプログラムコードを生成可能なデータとしてのプログラムは、当該プログラム（プログラムコードまたは上記データ）を記録媒体に格納し、当該記録媒体を配付したり、あるいは、上記プログラムを、有線または無線の通信路を介して伝送するための通信手段で送信したりして配付され、上記演算手段で実行される。【０１５２】  なお、通信路を介して伝送する場合、通信路を構成する各伝送媒体が、プログラムを示す信号列を伝搬し合うことによって、当該通信路を介して、上記プログラムが伝送される。また、信号列を伝送する際、送信装置が、プログラムを示す信号列により搬送波を変調することによって、上記信号列を搬送波に重畳してもよい。この場合、受信装置が搬送波を復調することによって信号列が復元される。一方、上記信号列を伝送する際、送信装置が、デジタルデータ列としての信号列をパケット分割して伝送してもよい。この場合、受信装置は、受信したパケット群を連結して、上記信号列を復元する。また、送信装置が、信号列を送信する際、時分割／周波数分割／符号分割などの方法で、信号列を他の信号列と多重化して伝送してもよい。この場合、受信装置は、多重化された信号列から、個々の信号列を抽出して復元する。いずれの場合であっても、通信路を介してプログラムを伝送できれば、同様の効果が得られる。【０１５３】  ここで、プログラムを配付する際の記録媒体は、取外し可能である方が好ましいが、プログラムを配付した後の記録媒体は、取外し可能か否かを問わない。また、上記記録媒体は、プログラムが記憶されていれば、書換え（書き込み）可能か否か、揮発性か否か、記録方法および形状を問わない。記録媒体の一例として、磁気テープやカセットテープなどのテープ、あるいは、フロッピー（登録商標）ディスクやハードディスクなどの磁気ディスク、または、ＣＤ−ＲＯＭや光磁気ディスク（ＭＯ）、ミニディスク（ＭＤ）やデジタルビデオディスク（ＤＶＤ）などのディスクが挙げられる。また、記録媒体は、ＩＣカードや光カードのようなカード、あるいは、マスクＲＯＭやＥＰＲＯＭ、ＥＥＰＲＯＭまたはフラッシュＲＯＭなどのような半導体メモリであってもよい。あるいは、ＣＰＵなどの演算手段内に形成されたメモリであってもよい。【０１５４】  なお、上記プログラムコードは、上記各処理の全手順を上記演算手段へ指示するコードであってもよいし、所定の手順で呼び出すことで、上記各処理の一部または全部を実行可能な基本プログラム（例えば、オペレーティングシステムやライブラリなど）が既に存在していれば、当該基本プログラムの呼び出しを上記演算手段へ指示するコードやポインタなどで、上記全手順の一部または全部を置き換えてもよい。【０１５５】  また、上記記録媒体にプログラムを格納する際の形式は、例えば、実メモリに配置した状態のように、演算手段がアクセスして実行可能な格納形式であってもよいし、実メモリに配置する前で、演算手段が常時アクセス可能なローカルな記録媒体（例えば、実メモリやハードディスクなど）にインストールした後の格納形式、あるいは、ネットワークや搬送可能な記録媒体などから上記ローカルな記録媒体にインストールする前の格納形式などであってもよい。また、プログラムは、コンパイル後のオブジェクトコードに限るものではなく、ソースコードや、インタプリトまたはコンパイルの途中で生成される中間コードとして格納されていてもよい。いずれの場合であっても、圧縮された情報の解凍、符号化された情報の復号、インタプリト、コンパイル、リンク、または、実メモリへの配置などの処理、あるいは、各処理の組み合わせによって、上記演算手段が実行可能な形式に変換可能であれば、プログラムを記録媒体に格納する際の形式に拘わらず、同様の効果を得ることができる。【０１５６】  また、データ送信装置１、データ受信装置３およびサーバ２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（ｖｉｒｔｕａｌ  ｐｒｉｖａｔｅ  ｎｅｔｗｏｒｋ）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【０１５７】  このように本明細書において、手段とは必ずしも物理的手段を意味するものではなく、各手段の機能がソフトウェアによって実現される場合も包含する。さらに、一つの手段の機能が、二つ以上の物理的手段により実現されても、もしくは、二つ以上の手段の機能が、一つの物理的手段により実現されてもよい。【０１５８】  また、本発明に係るサーバは、上記識別情報送信手段が、上記認証情報を、共有データを共有すべきデータ受信装置毎に異ならせて送信するものである構成がより好ましい。【０１５９】  上記の構成によれば、認証情報を、各データ受信装置毎に異ならせているので、ユーザ単位の認証が可能になる。【０１６０】  また、本発明に係るサーバは、上記管理手段が、データ送信装置から受信した共有装置情報と共有データとを対応付けて管理する構成であることがより好ましい。【０１６１】  上記の構成によれば、上記管理手段は、データ送信装置から受信した共有装置情報と共有データとを対応付けて管理している。つまり、上記管理手段は、データ送信装置によって設定された共有装置情報に基づいて、共有データを共有すべき装置（データ受信装置）に、認証情報を送信することができる。【０１６２】  これにより、データ送信装置の操作者は、自身が希望する共有先（データ受信装置）と共有データの共有が可能になる。
また、本発明に係るサーバは、上記通信回線（Ａ）が、無線ＬＡＮ回線である構成がより好ましい。【０１６３】  上記無線ＬＡＮ回線は、一般に、電話回線と比べて通信速度は速いが情報を取得できる範囲が狭い。そこで、上記の構成によれば、共有データ識別情報を電話回線で送信し、共有データそのものは無線ＬＡＮ回線で送信している。これにより、データ受信装置は、共有データ識別情報があるか否かに関しては常時知ることができ、実際の共有データの取得に関しては無線ＬＡＮ回線を用いて行うことにより、効率よく共有データを受信することができるとともに、共有データが存在するか否かを早く知ることができる。【０１６４】  また、本発明に係るデータ受信装置は、上記共有データ受信手段が、上記共有データを暗号化した状態で受信する構成がより好ましい
上記の構成によれば、上記サーバから送信されてくる共有データを暗号化された状態で受信しているので、当該共有データが伝送路上を送信されている際に、他に漏洩することを防止できる。【０１６５】  なお、上記共有データを暗号化した状態で受信する方法としては、例えば、セキュアｈｔｔｐ等の通信プロトコルを用いて共有データを送信してもよく、暗号化鍵を用いて暗号化された共有データをサーバから受信するとともに、サーバから電話回線を介して上記暗号化された共有データを復号化するための復号化鍵を取得してもよい。また、上記認証情報を、上記復号化鍵としてもよい。【０１６６】  本発明に係るデータ送信装置は、上記共有データを共有する装置に関する共有装置情報を、電話回線または通信回線（Ｂ）を用いてサーバに送信する共有装置情報送信手段を備える構成がより好ましい。【０１６７】  上記の構成によれば、データを共有する装置を、データ送信装置が指定することができる。なお、上記共有装置情報とは、例えば、共有データを共有する装置のアドレスまたは識別情報（ＩＤ）等であってもよく、予め特定の装置と共有データを共有することが設定されているデータフォルダを指定するフォルダ名等であってもよい。【０１６８】  本発明に係るデータ送信装置は、上記共有装置情報送信手段は、上記共有データの識別子と上記共有装置情報とをサーバに対して送信する構成がより好ましい。【０１６９】  上記の構成のよれば、上記共有装置情報と共有データの識別子とをサーバに対して送信しているので、共有データ単位での共有の設定を行うことができる。【０１７０】  本発明に係るデータ送信装置は、上記装置側共有データ送信手段が、上記認証情報を付した共有データを送信する際に、当該共有データを共有すべき装置に関する共有装置情報を送信するものである構成がより好ましい。【０１７１】  上記の構成によれば、共有データを共有すべき装置に関する共有装置情報を当該共有データとともに送信することにより、データ単位で共有すべきか否かを設定することができる。【０１７２】  尚、発明を実施するための最良の形態の項においてなした具体的な実施態様または実施例は、あくまでも、本発明の技術内容を明らかにするものであって、そのような具体例にのみ限定して狭義に解釈されるべきものではなく、本発明の精神と次に記載する特許請求の範囲内で、いろいろと変更して実施することができるものである。
【産業上の利用可能性】
【０１７３】  本発明にかかる共有データシステムは、例えば、電話回線と無線ＬＡＮ回線との２つの通信回線を有する携帯端末等に好適である。
【図１】
2006025241.tif 000002
【図２】
2006025241.tif 000003
【図３】
2006025241.tif 000004
【図４】
2006025241.tif 000005
【図５】
2006025241.tif 000006
【図６】
2006025241.tif 000007
【図７】
2006025241.tif 000008
【図８】
2006025241.tif 000009
【図９】
2006025241.tif 000010
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
データ送信装置から複数の装置間で共有する共有データを受信する共有データ取得手段と、
上記共有データを記憶する記憶手段と、
上記受信した共有データと、当該共有データを共有する装置に関する共有装置情報とを対応付けて管理する管理手段と、
共有データを受信すると、上記共有装置情報に基づいて、当該共有データを共有すべきデータ受信装置に対して、上記共有データを特定するための共有データ識別情報と上記記憶手段から上記共有データをダウンロードするための認証情報とを、秘匿された通信回線を用いて送信する識別情報送信手段と、
上記秘匿された通信回線よりも通信速度が速い通信回線（Ａ）を介して、データ受信装置から受信した、共有データをダウンロードするためのダウンロード要求に付加されている認証情報が、自装置から送信した認証情報と一致するか否かを判断する判断手段と、
上記判断手段が一致すると判断した場合に、上記通信回線（Ａ）を用いて、上記ダウンロード要求に基づく共有データをデータ受信装置に対して送信する共有データ送信手段とを備えることを特徴とするサーバ。
【請求項２】
上記秘匿された通信回線は、携帯電話回線であることを特徴とする請求項１記載のサーバ。
【請求項３】
上記識別情報送信手段は、上記認証情報を、共有データを共有すべきデータ受信装置毎に異ならせて送信するものであることを特徴とする請求項１および２記載のサーバ。
【請求項４】
上記管理手段は、データ送信装置から受信した共有装置情報と共有データとを対応付けて管理するものであることを特徴とする請求項１〜３のいずれか１項に記載のサーバ。
【請求項５】
上記通信回線（Ａ）は、無線ＬＡＮ回線であることを特徴とする請求項１〜４のいずれか１項に記載のサーバ。
【請求項６】
上記秘匿された通信回線による通信は、電子メールを用いて行われることを特徴とする請求項１〜５のいずれか１項に記載のサーバ。
【請求項７】
上記サーバは、上記データ送信装置または上記データ受信装置から各種情報を受信すると、上記情報に基づいて所定の処理を行うことを特徴とする請求項１〜６のいずれか１項に記載のサーバ。
【請求項８】
複数の装置間で共有すべき情報である共有データを記憶しているサーバからデータを受信するデータ受信装置であって、
上記共有データを特定するための共有データ識別情報と上記サーバから共有データをダウンロードするための認証情報とを秘匿された通信回線を介してサーバから受信する識別情報受信手段と、
上記共有データをダウンロードするためのダウンロード要求と上記認証情報とを、上記秘匿された通信回線よりも通信速度が速い通信回線（Ａ）を用いて、上記サーバに対して送信する要求情報送信手段と、
上記共有データ識別情報によって特定された共有データを、サーバから上記通信回線（Ａ）を介して受信する共有データ受信手段とを備えることを特徴とするデータ受信装置。
【請求項９】
上記秘匿された通信回線は、携帯電話回線であることを特徴とする請求項８記載のデータ受信装置。
【請求項１０】
上記共有データ受信手段は、上記共有データを暗号化した状態で受信することを特徴とする請求項８または９記載のデータ受信装置。
【請求項１１】
上記秘匿された通信回線による通信は、電子メールを用いて行われることを特徴とする請求項８〜１０のいずれか１項に記載のデータ受信装置。
【請求項１２】
上記データ受信装置は、第１データ受信装置と第２データ受信装置とを備え、それらは近距離無線通信で互いに接続されており、
上記第１データ受信装置は、上記サーバから共有データをダウンロードするための認証情報を秘匿された通信回線を介して受信するとともに、上記認証情報を上記第２データ受信装置に送信する、上記識別情報受信手段としての第１識別情報受信手段を備え、
上記第２データ受信装置は、上記第１データ受信装置からの上記認証情報と、上記サーバから秘匿された通信回線を介して上記共有データを特定するための共有データ識別情報とを受信する、上記識別情報受信手段としての第２識別情報受信手段と、上記要求情報送信手段と、上記共有データ受信手段とを備えることを特徴とする請求項８〜１１のいずれか１項に記載のデータ受信装置。
【請求項１３】
上記データ受信装置は、上記サーバから各種情報を受信すると、上記情報に基づいて所定の処理を行うことを特徴とする請求項８〜１２のいずれか１項に記載のデータ受信装置。
【請求項１４】
複数の装置間で共有する共有データをサーバに対して送信するデータ送信装置であって、
上記サーバにアクセスするための認証情報を、秘匿された通信回線を介して上記サーバから受信する認証情報受信手段と、
上記サーバに対して、上記認証情報を付した共有データを上記秘匿された通信回線よりも通信速度が速い通信回線（Ｂ）を用いて送信する装置側共有データ送信手段とを備えることを特徴とするデータ送信装置。
【請求項１５】
上記秘匿された通信回線は、携帯電話回線であることを特徴とする請求項１４記載のデータ送信装置。
【請求項１６】
上記秘匿された通信回線による通信は、電子メールを用いて行われることを特徴とする請求項１４または１５に記載のデータ送信装置。
【請求項１７】
上記装置側共有データ送信手段は、上記共有データを暗号化した状態で送信することを特徴とする請求項１４〜１６のいずれか１項に記載のデータ送信装置。
【請求項１８】
上記共有データを共有する装置に関する共有装置情報を、秘匿された通信回線または通信回線（Ｂ）を用いてサーバに送信する共有装置情報送信手段を備えることを特徴とする請求項１４〜１７のいずれか１項に記載のデータ送信装置。
【請求項１９】
上記共有装置情報送信手段は、上記共有データの識別子と上記共有装置情報とをサーバに対して送信することを特徴とする請求項１８記載のデータ送信装置。
【請求項２０】
上記装置側共有データ送信手段は、上記認証情報を付した共有データを送信する際に、当該共有データを共有すべき装置に関する共有装置情報を送信するものであることを特徴とする請求項１４〜１７のいずれか１項に記載のデータ送信装置。
【請求項２１】
上記データ送信装置は、所定の処理を行う場合、上記所定の処理に必要な各種情報を上記サーバに送信することを特徴とする請求項１４〜２０のいずれか１項に記載のデータ送信装置。
【請求項２２】
請求項８〜１３のいずれか１項に記載のデータ受信装置と、請求項１４〜２１のいずれか１項に記載のデータ送信装置とを備えたことを特徴とする送受信装置。
【請求項２３】
請求項１〜７のいずれか１項に記載のサーバと、請求項８〜１３のいずれか１項に記載のデータ受信装置と、請求項１４〜２１のいずれか１項に記載のデータ送信装置とを備えたことを特徴とするデータ共有システム。
【請求項２４】
請求項１〜７のいずれか１項に記載のサーバが備える各手段をコンピュータに実行させるデータ共有プログラム。
【請求項２５】
請求項２４に記載のデータ共有プログラムを記録したコンピュータ読取可能な記録媒体。
【請求項２６】
請求項８〜１３のいずれか１項に記載のデータ受信装置が備える各手段をコンピュータに実行させるデータ受信プログラム。
【請求項２７】
請求項２６に記載のデータ受信プログラムを記録したコンピュータ読取可能な記録媒体。
【請求項２８】
請求項１４〜２１のいずれか１項に記載のデータ送信装置が備える各手段をコンピュータに実行させるデータ送信プログラム。
【請求項２９】
請求項２８に記載のデータ送信プログラムを記録したコンピュータ読取可能な記録媒体。
【請求項３０】
請求項２２に記載の送受信装置が備える各手段をコンピュータに実行させるデータ送受信プログラム。
【請求項３１】
請求項３０に記載のデータ送信プログラムを記録したコンピュータ読取可能な記録媒体。
【手続補正３】
【補正対象書類名】明細書
【補正対象項目名】０００８
【補正方法】変更
【補正の内容】
【０００８】
本発明に係るサーバは、上記課題を解決するために、データ送信装置から複数装置間で共有する共有データを受信する共有データ取得手段と、上記受信した共有データと、当該共有データを共有する装置に関する共有装置情報とを対応付けて管理する管理手段と、共有データを受信すると、上記共有装置情報に基づいて、当該共有データを共有すべきデータ受信装置に対して、上記共有データを特定するための共有データ識別情報と自装置から上記共有データをダウンロードするための認証情報（パスワード）とを、秘匿された通信回線を用いて送信する識別情報送信手段と、上記秘匿された通信回線よりも通信速度が速い通信回線（Ａ）を介して、データ受信装置から受信した、共有データをダウンロードするためのダウンロード要求に付加されている認証情報が、自装置から送信した認証情報と一致するか否かを判断する判断手段と、上記判断手段が一致すると判断した場合に、上記秘匿された通信回線よりも通信速度が速い通信回線（Ａ）を用いて、上記ダウンロード要求に基づく共有データをデータ受信装置に対して送信する共有データ送信手段とを備えることを特徴としている。
【手続補正４】
【補正対象書類名】明細書
【補正対象項目名】００１５
【補正方法】変更
【補正の内容】
【００１５】
本発明に係るデータ受信装置は、上記課題を解決するために、複数の装置間で共有すべき情報である共有データを記憶しているサーバからデータを受信するデータ受信装置であって、上記共有データを特定するための共有データ識別情報と上記サーバから共有データをダウンロードするための認証情報とを秘匿された通信回線を介してサーバから受信する識別情報受信手段と、上記共有データをダウンロードするためのダウンロード要求と上記認証情報とを、上記秘匿された通信回線よりも通信速度が速い通信回線（Ａ）を用いて、上記サーバに対して送信する要求情報送信手段と、上記共有データ識別情報によって特定された共有データを、サーバから上記通信回線（Ａ）を介して受信する共有データ受信手段とを備えることを特徴としている。
【手続補正５】
【補正対象書類名】明細書
【補正対象項目名】００２１
【補正方法】変更
【補正の内容】
【００２１】
本発明に係るデータ送信装置は、上記の課題を解決するために、複数の装置間で共有する共有データをサーバに対して送信するデータ送信装置であって、上記サーバにアクセスするための認証情報を、秘匿された通信回線を介して上記サーバから受信する認証情報受信手段と、上記サーバに対して、上記認証情報を付した共有データを上記秘匿された通信回線よりも通信速度が速い通信回線（Ｂ）を用いて送信する装置側共有データ送信手段とを備えることを特徴としている。
【国際調査報告】
2006025241.tif 000011
2006025241.tif 000012